(57)【要約】【課題】  漂流物等が接触することによって過大な荷重が作用しても切断させることがなく、繰り返し使用することができる防鳥部材を備えた装置を提供する。【解決手段】  魚道中の魚類を飛来する鳥類から保護する防鳥装置であって、魚道１５の幅方向に間隔をおいて架け渡される複数の伸縮可能な防鳥部材４と、防鳥部材４の少なくとも一部に設けられる、防鳥部材４より強度の小さい弱点部８とを備える。漂流物等が防鳥部材４に接触した場合に、防鳥部材４が伸縮することにより、漂流物からの荷重を逃すことができる。防鳥部材４に漂流物から過大な荷重が作用した場合には、防鳥部材４が弱点部８から切り離されることにより、防鳥部材４が切断されるのが防止される。【選択図】  図１
2013123397.tif 000002
【特許請求の範囲】
【請求項１】
魚道中の魚類を飛来する鳥類から保護する防鳥装置であって、
魚道の幅方向に間隔をおいて架け渡される複数の伸縮可能な防鳥部材と、該防鳥部材の少なくとも一部に設けられる、該防鳥部材より強度の小さい弱点部とを備えていることを特徴とする防鳥装置。
【請求項２】
前記複数の防鳥部材は、前記魚道の長さ方向に間隔をおいて架け渡された複数の固定部材の隣接する固定部材間に架け渡されていることを特徴とする請求項１に記載の防鳥装置。
架け渡され、
【請求項３】
前記弱点部は、前記防鳥部材と前記固定部材との間に設けられていることを特徴とする請求項２記載の防鳥装置。
【請求項４】
前記弱点部は、磁石と磁石との組合せ、磁石と磁性材との組合せ、面ファスナのフックとループの組合せからなることを特徴とする請求項１〜３の何れか１項に記載の防鳥装置。
【請求項５】
前記防鳥部材は、引張ばねであることを特徴とする請求項〜４の何れか１項に記載の防鳥装置。
【発明の詳細な説明】
【技術分野】
【０００１】
本発明は、防鳥装置に関し、特に、ダムや堰等の施設に付属して設けられる魚道を遡上、降下する魚類を鳥類から保護するのに有効な防鳥装置に関する。
【背景技術】
【０００２】
一般に、ダムや堰等のような施設には、施設の上流側と下流側との間を結ぶ水路としての魚道が付属して設けられ、川の上流と下流との間を往来する魚類の遡上、降下を助けている。
【０００３】
また、上記のような魚道には、各種の防鳥装置が設置され、魚道を遡上、降下する魚類が飛来する鳥類によって捕食されるのを防止している。
【０００４】
防鳥装置の一例として、撚り糸、テグス、凧糸等からなる複数本の防鳥糸を各々が魚道の長さ方向を向くように、かつ、魚道の幅方向に所定の間隔ごとに張った状態に設けたものが知られている。
【０００５】
このような構成の防鳥装置によれば、防鳥糸に飛来する鳥類の翼や体を接触させることにより、飛来する鳥類を魚道から忌避させることができ、魚道を遡上、降下する魚類が飛来する鳥類によって捕食されるのを防止することができる。
【０００６】
ところで、上記のような防鳥装置にあっては、ダムや堰等の施設からの放流によって下流の水位が上昇した場合に、塵芥類等の漂流物が魚道内に流れ込んで、漂流物が防鳥糸に接触することにより防鳥糸が切断されることがある。
【０００７】
このため、切断された防鳥糸を撤去して、新しい防鳥糸に張り替える必要があり、その作業に手間がかかる。また、魚道が通水中の場合には、魚道内の流水が防鳥糸の張り替え作業の支障になるため、魚道を断水させて防鳥糸の張り替えを行わなければならない。
【０００８】
一方、上記のような問題に対処するため、特許文献１には、防鳥糸を昇降可能に構成した装置が開示されている。また、特許文献２には、防鳥糸の少なくとも一端を魚道に浮遊させたフロートに接続し、魚道の水位の変動に関わらずに、防鳥糸を水面の上方の所定の位置に保つように構成した装置が開示されている。
【０００９】
特許文献１、２に記載のような装置を用いることにより、ダムや堰等の施設からの放流によって下流の水位が上昇しても、防鳥糸を上昇した水面よりも上方に配置することができるので、塵芥類等の漂流物が防鳥糸に接触して防鳥糸が切断されるようなことはない。
【００１０】
しかし、特許文献１に記載の装置は、作業者の操作によって防鳥糸を上昇させる構成となっているため、作業者が操作を忘れた場合等には、漂流物が防鳥糸に接触して防鳥糸が切断されるのを完全に防止できない。また、特許文献２に記載の装置は、フロートを上下方向に移動可能に案内するガイド機構が必要になるため、設置可能な魚道が制限されてしまう。
【先行技術文献】
【特許文献】
【００１１】
【特許文献１】特開２００６−１５８２７７号公報
【特許文献２】特開２００９−１５３４８１号公報
【発明の概要】
【発明が解決しようとする課題】
【００１２】
本発明は、上記のような従来の問題に鑑みなされたものであって、塵芥類等の漂流物が接触しても切断されるようなことはなく、また、各種の魚道に設置することが可能な防鳥装置を提供することを目的とする。
【課題を解決するための手段】
【００１３】
上記のような課題を解決するために、本発明は、以下のような手段を採用している。
すなわち、本発明は、魚道中の魚類を飛来する鳥類から保護する防鳥装置であって、魚道の幅方向に間隔をおいて架け渡される複数の伸縮可能な防鳥部材と、該防鳥部材の少なくとも一部に設けられる、該防鳥部材より強度の小さい弱点部とを備えていることを特徴とする。
【００１４】
本発明の防鳥装置によれば、魚道に塵芥類等の漂流物が流れ込んで、漂流物が防鳥部材に接触した場合に、防鳥部材が伸縮することにより漂流物からの荷重を逃すことができ、防鳥部材が切断されるのを防止できる。
また、防鳥部材に漂流物等から過大な荷重が作用した場合には、防鳥部材の少なくとも一部に設けられている弱点部から切り離されることにより、防鳥部材が切断されるのを防止できる。
【００１５】
また、本発明において、前記防鳥部材は、前記魚道の長さ方向に間隔をおいて架け渡された複数の固定部材の隣接する固定部材間に架け渡されていることとしてもよい。
【００１６】
本発明の防鳥装置によれば、固定部材間に架け渡されている各防鳥部材に漂流物等から過大な荷重が作用した場合に、各防鳥部材が弱点部から切り離されることにより、各防鳥部材が切断されるのを防止できる。
【００１７】
また、本発明において、前記弱点部は、前記防鳥部材と前記固定部材との間に設けられていることとしてもよい。
【００１８】
本発明の防鳥装置によれば、防鳥部材に漂流物等から過大な荷重が作用した場合に、防鳥部材と固定部材との間に設けられている弱点部から防鳥部材が切り離されることにより、防鳥部材が切断されるのが防止される。
【００１９】
さらに、本発明において、前記弱点部は、磁石と磁石との組合せ、磁石と磁性材との組合せ、面ファスナのフックとループの組合せからなることとしてもよい。
【００２０】
本発明の防鳥装置によれば、防鳥部材に漂流物等から過大な荷重が作用した場合に、防鳥部材は、磁石と磁石との組合せ、磁石と磁性材との組合せ、面ファスナのフックとループの組合せからなる弱点部から切り離されることにより、防鳥部材が切断されるのを防止できる。
【００２１】
さらに、本発明において、前記防鳥部材は、引張ばねであることとしてもよい。
【００２２】
本発明の防鳥装置によれば、漂流物が防鳥部材に接触した場合に、引張ばねからなる防鳥部材が伸縮することにより漂流物からの荷重を逃すことができる。また、引張ばねから防鳥部材が伸縮することにより、視覚的な防鳥効果が得られることになる。
【発明の効果】
【００２３】
以上、説明したように、本発明の防鳥装置は、水位の上昇によって魚道内に流れ込んだ塵芥類等の漂流物が防鳥部材に接触した場合に、防鳥部材が伸縮変形することにより漂流物からの荷重を逃がすことができ、防鳥部材が切断されるのを防止できる。
また、防鳥部材に漂流物等から過大な荷重が作用した場合には、防鳥部材が弱点部から切り離されることにより、防鳥部材が切断されるのを防止できる。
さらに、弱点部を磁石で構成した場合には、防鳥部材が弱点部から切り離されて魚道の水中に落下した場合に、釣り糸の先端に磁石、磁性材からなる重りを取り付けたものを用いることにより、容易に回収することができる。
【図面の簡単な説明】
【００２４】
【図１】本発明による防鳥装置の一実施の形態を示した概略図であって、魚道に設置した状態を図２のＡ方向から見た概略図である。
【図２】図１のＢ方向から見た概略図である。
【図３】防鳥部材の変形例を示した概略図である。
【発明を実施するための形態】
【００２５】
以下、図面を参照しながら本発明の実施の形態について説明する。
図１及び図２には、本発明による防鳥装置の一実施の形態が示されている。本実施の形態の防鳥装置１は、ダムや堰等のような施設に付属して設けられ、川の上流と下流との間を往来する魚類の遡上、降下を助けるための魚道１５に設置され、魚道１５を遡上、降下する魚類が飛来する鳥類によって捕食されるのを防止するのに有効なものである。
【００２６】
すなわち、本実施の形態の防鳥装置１は、魚道１５の長さ方向に所定の間隔毎に、かつ魚道１５を幅方向に横切るように、魚道１５の天端１６、１６間に架け渡される複数の固定部材２と、隣接する固定部材２ａ、２ｂ間に魚道１５の長さ方向を向くように、かつ魚道１５の幅方向に所定の間隔毎に架け渡される複数本の防鳥部材４と、各防鳥部材４の少なくとも一部に設けられる弱点部８とを備えている。
【００２７】
固定部材２は、磁性材からなる棒状部材、管状部材、又は板状部材であって、本実施の形態おいては、固定部材２として、一般構造用炭素項鋼管（ＪＩＳ  Ｇ  ３４４４）を用い、この固定部材２を、魚道１５の長さ方向に５〜１０ｍ間隔ごとに、かつ魚道１５を幅方向に横切るように、魚道１５の両天端１６、１６間に架け渡し、各固定部材２の両端をＵ字ボルト等の金具（図示せず）によって両天端１６、１６に固定している。
【００２８】
防鳥部材４は、両端にフック６、７が設けられた金属製又は合成樹脂製の引張ばね５であって、一端のフック６を隣接する一方の固定部材２ａに掛着させ、他端のフック７に取り付けた後述する磁石９を隣接する他方の固定部材２ｂの表面３に磁着させることにより、各隣接する固定部材２ａ、２ｂ間に取り付けられる。
【００２９】
防鳥部材４は、各隣接する固定部材２ａ、２ｂ間に、各々が魚道１５の長さ方向を向くように、かつ隣接するもの同士が互いに平行をなすように、魚道１５の幅方向に所定の間隔ごとに複数本（本実施の形態では３本）設けられている。
【００３０】
各固定部材２の防鳥部材４の一端のフック６を掛着させる部分に、各固定部材２の周方向を向く係合溝（図示せず）を設け、この係合溝内に防鳥部材４の一端のフック６を掛着させるように構成してもよい。このような構成とすることにより、防鳥部材４の一端のフック６が各固定部材２の所定の位置からずれるのを防止でき、隣接する防鳥部材４、４間の間隔を所定の間隔に保つことができる。
【００３１】
本実施の形態では、線径がφ１〜２ｍｍ、外径が３０ｍｍ〜５０ｍｍ、自由長さが隣接する固定部材２ａ、２ｂ間の距離の１／２〜１／３程度の長さの引張ばね５を用いて防鳥部材４を構成し、この防鳥部材４の引張ばね５を引き伸ばした状態で、かつ風雨等によって伸縮可能に各隣接する固定部材２ａ、２ｂ間に取り付けている。
【００３２】
弱点部８は、防鳥部材４の他端のフック７に取り付けられる磁石９と、磁石９を磁着させる磁性材からなる固定部材２とから構成され、防鳥部材４に磁石９の磁力を超える荷重が作用した場合に、磁石９が固定部材２側から切り離されるように構成されている。
【００３３】
磁石９の磁力は、防鳥部材４の切断荷重よりも小さくなるように設定され、防鳥部材４に過大な荷重が作用した場合に、防鳥部材４が切断される前に磁石９が固定部材２から切り離されるように構成されている。
【００３４】
磁石９は、円柱状をなすものであって、一部に磁石９を径方向に貫通する貫通孔（図示せず）が設けられ、この貫通孔内に防鳥部材４の他端のフック７を通すことにより、磁石９が防鳥部材４の他端のフック７に取り付けられる。
【００３５】
磁石９の先端面１１は、固定部材２の表面３に合致した曲率のアール面に形成され、この先端面１１を固定部材２の表面３に密着させることにより、磁石９を固定部材２の表面３に磁着させることができる。
【００３６】
本実施の形態においては、弱点部８を磁石９と固定部材２とによって構成しているが、固定部材２の表面３に磁性材からなる板状の部材（図示せず）を設け、この部材と磁石９とによって弱点部８を構成してもよい。このような構成とすることにより、磁石９の先端面１１をアール面に形成する必要がなくなる。
【００３７】
上記のように構成した防鳥装置１にあっては、金属製又は合成樹脂製の引張ばね５からなる防鳥部材４を用い、この防鳥部材４を引張ばね５引き伸ばした状態で、かつ伸縮可能に各隣接する固定部材２ａ、２ｂ間に取り付けているので、ダムや堰等の施設からの放流によって下流側の水位が上昇して、塵芥類等の漂流物が魚道１５内に流れ込んで防鳥部材４に接触しても、防鳥部材４の引張ばね５が伸縮変形することにより、漂流物からの荷重を逃すことができるので、防鳥部材４が漂流物によって切断されるのを防止できる。
【００３８】
また、防鳥部材４の他端は、磁石９によって固定部材２に磁着され、漂流物が防鳥部材４に接触して、漂流物から所定以上の荷重が防鳥部材４に作用した場合には、防鳥部材４の他端の磁石９が固定部材２から切り離されることになるので、防鳥部材４が切断されるようなことはない。
【００３９】
さらに、漂流物からの荷重によって防鳥部材４の他端の磁石９が固定部材２から切り離されても、磁石９を固定部材２に再び磁着させることにより、防鳥部材４を隣接する固定部材２ａ、２ｂ間に架け渡すことができるので、防鳥部材４を新しいものと交換する必要はなく、防鳥部材４を繰り返し使用することができる。
【００４０】
さらに、防鳥部材４の他端の磁石９が固定部材２から切り離されて、魚道１５の水中に落下した場合には、例えば、先端に磁石や磁性材からなる重りを取り付けた釣り糸を用いることにより、防鳥部材４の他端側の磁石９を磁着させて容易に回収できるので、魚道１１が通水状態にあっても、切り離された防鳥部材４を容易に回収して、再び隣接する固定部材２ａ、２ｂ間に架け渡すことができる。
【００４１】
さらに、防鳥部材４は、隣接する固定部材２ａ、２ｂ間に伸縮可能に設けられているので、風雨等によって防鳥部材４を揺らすことができ、飛来する鳥類を視覚的に忌避させることができる。
【００４２】
さらに、所定以上の荷重が防鳥部材４に作用した場合に、防鳥部材４の他端の磁石９が固定部材２から切り離されるので、飛来する鳥類が防鳥部材４に強く接触したような場合であっても、防鳥部材４によって飛来する鳥類が傷付くようなことはなく、飛来する鳥類を保護することもできる。
【００４３】
なお、前記の説明においては、防鳥部材４の全体を引張ばね５で構成したが、一部のみを引張ばね５で構成してもよい。
【００４４】
また、前記の説明においては、防鳥部材４の他端に設けた磁石９と固定部材２とによって弱点部８を構成したが、防鳥部材４の両端に磁石９を設けて、この磁石と固定部材２とによって弱点部８を構成してもよい。
【００４５】
さらに、前記の説明においては、隣接する固定部材２ａ、２ｂ間に一連の防鳥部材４を架け渡したが、図３に示すように、防鳥部材４を複数に分割し、隣接するもの同士を弱点部１２（磁石１３と磁石１３との組合せ、磁石１３と磁性材１４との組合せ）を介して切り離し可能に連結してもよい。
【００４６】
さらに、前記の説明においては、弱点部８、１２として、磁石９と固定部材２との組合せ、磁石９と磁性材からなる板状の部材との組合せを用いたが、弱点部８、１２を面ファスナのフックとループとの組合せによって構成し、ループとフックとを互いに噛合させることにより、防鳥部材４と固定部材２との間、防鳥部材４の途中を切り離し可能に構成してもよい。面ファスナとしては、板状のもの、環状のもの等、各種の形状のものを用いることができる。
【符号の説明】
【００４７】
１  防鳥装置
２  固定部材
３  表面
４  防鳥部材
５  引張ばね
６  フック
７  フック
８  弱点部
９  磁石
１１  先端面
１２  弱点部
１３  磁石
１４  磁性材
１５  魚道
１６  天端
【図１】
2013123397.tif 000003
【図２】
2013123397.tif 000004
【図３】
2013123397.tif 000005